(57)【要約】【課題】給電端子の変形を防止でき、部品点数が少なく且つ組み立て易いレンズ駆動装置、オートフォーカスカメラ及びカメラ付きモバイル端末を提供する。【解決手段】本発明は、後側スプリング１１からコイル１９に通電することにより、コイル１９と対向するマグネット１３との間で生じる電磁力によりレンズ支持体５をレンズの光軸方向に沿って前後に移動するレンズ駆動装置１であって、ベース８は絶縁材でできており且つ外周面に金属面部３３、３５を有し、スプリング後側スプリング１１と金属面部３３、３５とを接着材２３により接続してあり、金属面部３３、３５を給電端子としている。金属面部３３、３５は、鍍金や金属薄膜を形成した金属テープを貼ってベースに形成する。【選択図】図１
2012068275.tif 000002
【特許請求の範囲】
【請求項１】
レンズを支持するためのレンズ支持体と、レンズ支持体の外周に設けたコイルと、コイルと対向するマグネットと、コイルに電気的に接続されていると共にレンズ支持体を移動自在に保持するスプリングと、スプリングを保持するベースとを備え、スプリングからコイルに通電して生じる電磁力によりレンズ支持体をレンズの光軸方向に沿って前後に移動するレンズ駆動装置であって、
ベースは絶縁材でできており且つ外周面に金属面部を有し、スプリングと前記金属面部とを接着材により接続してあり、前記金属面部を給電端子としていることを特徴とするレンズ駆動装置。
【請求項２】
前記金属面部はベースの外周面の一部を鍍金して形成してあることを特徴とする請求項１に記載のレンズ駆動装置。
【請求項３】
ベースは外周部にスプリングを載置しており、スプリング載置面には凹状の接着材溜りが形成してあることを特徴とする請求項２に記載のレンズ駆動装置。
【請求項４】
前記金属面部は、接着材溜りの底面に連続して設けてあることを特徴とする請求項３に記載のレンズ駆動装置。
【請求項５】
請求項１〜４のいずれか一項に記載のレンズ駆動装置を備え、回路基板に設けてある電源端子にベースの金属面部を接続していることを特徴とするオートフォーカスカメラ。
【請求項６】
請求項５に記載のオートフォーカスカメラを搭載したことを特徴とするカメラ付きモバイル端末。
【発明の詳細な説明】
【技術分野】
【０００１】
本発明は、レンズ駆動装置、オートフォーカスカメラ及びカメラ付きモバイル端末に関する。
モバイル端末とは、携帯電話、携帯情報端末（ＰＤＡ）、ノートパソコン等をいう。
【背景技術】
【０００２】
特許文献１には、外周にコイルを巻回したレンズ支持体をスプリングで移動自在に保持し、コイルをスプリングに接続して、スプリングからコイルに電流を流すことが開示されている。この特許文献１の技術では、スプリングに給電端子を一体に形成してベースから給電端子を突出させている。
特許文献２及び３には、ベースから突出する給電端子をスプリング及びベースとは別部材にして、給電端子をスプリングに接続することが開示されている。
【先行技術文献】
【特許文献】
【０００３】
【特許文献１】特開２００５−１７３４３１号公報
【特許文献２】特開２００９−２１６８７８号公報
【特許文献３】特開２０１０−６１０３０号公報
【発明の概要】
【発明が解決しようとする課題】
【０００４】
しかし、特許文献１の技術では、スプリングが所定の弾性特性を得る為にスプリングの厚みを薄くする必要があり、スプリングに一体に形成した給電端子の厚みも薄くなってしまうので、給電端子が変形しやすくなるという不都合がある。
これに対して、特許文献２及び３の技術では、給電端子をスプリングとは独立した部材としているので、スプリングの厚みと別に給電端子の厚みを設定できるが、部品点数が増えると共に端子とスプリングとの接続が必要になるので、組み立て難いという不都合がある。
【０００５】
そこで、本発明は、給電端子の変形を防止でき、部品点数が少なく且つ組み立て易いレンズ駆動装置、オートフォーカスカメラ及びカメラ付きモバイル端末の提供を目的とする。
【課題を解決するための手段】
【０００６】
請求項１に記載の発明は、レンズを支持するためのレンズ支持体と、レンズ支持体の外周に設けたコイルと、コイルと対向するマグネットと、コイルに電気的に接続されていると共にレンズ支持体を移動自在に保持するスプリングと、スプリングを保持するベースとを備え、スプリングからコイルに通電して生じる電磁力によりレンズ支持体をレンズの光軸方向に沿って前後に移動するレンズ駆動装置であって、ベースは絶縁材でできており且つ外周面に金属面部を有し、スプリングと前記金属面部とを接着材により接続してあり、前記金属面部を給電端子としていることを特徴とする。
金属面部は、鍍金や表面に金属薄膜を形成した金属テープを貼ってベースに形成する。
接着材は、導電性接着材やはんだである。
【０００７】
請求項２に記載の発明は、請求項１に記載の発明において、前記金属面部はベースの外周面の一部を鍍金して形成してあることを特徴とする。
【０００８】
請求項３に記載の発明は、請求項２に記載の発明において、ベースは外周部にスプリングを載置しており、スプリング載置面には凹状の接着材溜りが形成してあることを特徴とする。
【０００９】
請求項４に記載の発明は、請求項３に記載の発明において、前記金属面部は、接着材溜りの底面に連続して設けてあることを特徴とする。
【００１０】
請求項５に記載の発明は、請求項１〜４のいずれか一項に記載のレンズ駆動装置を備え、回路基板に設けてある電源端子にベースの金属面部を接続していることを特徴とするオートフォーカスカメラである。
【００１１】
請求項６に記載の発明は、請求項５に記載のオートフォーカスカメラを搭載したことを特徴とするカメラ付き携帯電話である。
【発明の効果】
【００１２】
請求項１に記載の発明によれば、ベースは外周面に金属面部を有しているので、スプリングを保持しているベースの金属面部とスプリングとを接着材により接着固定するだけで金属面部を給電端子として用いることができ、組み立てが容易である。金属面部はベースと一体であるから安定であり、スプリングとの接着作業が容易である。
金属面部はベースの外周面に設けてベースに支持されているので、金属面部の厚みを薄くしても給電端子の変形を防止することができる。
金属面部はベースと一体であるから、別に給電端子部材を必要としないので、部品点数を少なくできる。
【００１３】
請求項２に記載の発明によれば、請求項１に記載の作用効果を奏すると共に、ベースの一部を鍍金することにより形成しているので、金属面部の形成が容易にできる。
【００１４】
請求項３に記載の発明によれば、請求項２に記載の作用効果を奏すると共に、接着材のはみ出しを防止できると共に、金属面部とスプリングとの接着強度を高めることができる。
【００１５】
請求項４に記載の発明によれば、請求項３に記載の作用効果を奏すると共に、金属面部とスプリングとの電気的な接続の信頼性を高めることができる。
【００１６】
請求項５に記載の発明によれば、請求項１〜４のいずれか一項に記載の作用効果を奏するオートフォーカスカメラを提供できる。
【００１７】
請求項６に記載の発明によれば、請求項５に記載の作用効果を奏するカメラ付きモバイル端末を提供できる。
【図面の簡単な説明】
【００１８】
【図１】（ａ）は第１実施の形態に係るレンズ駆動装置の一部を抜き出して示す斜視図であり、（ｂ）は（ａ）に示すＣ−Ｃ断面図である。
【図２】（ａ）は第１実施の形態に係るレンズ駆動装置のベースを抜き出して示す斜視図であり、（ｂ）は（ａ）に示すＢ−Ｂ断面図である。
【図３】図２に示すベースに接着材を塗布した状態を示す斜視図である。
【図４】第１実施の形態に係るレンズ駆動装置の分解斜視図である。
【図５】図６に示すＡ−Ａ断面図である。
【図６】第１実施の形態に係るレンズ駆動装置の概観を示す斜視図である。
【図７】第２実施の形態に係るレンズ駆動装置のベースを示す斜視図である。
【図８】第２実施の形態に係るレンズ駆動装置における金属面部とスプリングとの接続部分を示す断面図である。
【発明を実施するための形態】
【００１９】
以下に、添付図面の図１〜図６を参照して本発明の第１実施の形態を詳細に説明する。本実施の形態に係るレンズ駆動装置１は、携帯電話に組み込まれるオートフォーカスカメラのレンズ駆動装置である。
【００２０】
このレンズ駆動装置１は、図４に示すように、環状のヨーク３と、レンズ支持体５と、ヨーク３の光軸方向前側に配置される前側スプリング９と、前側スプリング９の前側に配置されるフレーム７と、ヨーク３の後側に配置されるベース８及び後側スプリング１１とを備えており、後側スプリング１１とヨーク３との間には後側スペーサ１５が配置されている。
【００２１】
ヨーク３は前側から見て外周が平面視四角形であり、内周が平面視円形になっており、外周側壁３ａと、内周側壁３ｂと、外周側壁３ａと内周側壁３ｂとを間隔をあけて連結する連結壁３ｃとからなり、外周側壁３ａと内周側壁３ｂと連結壁３ｃとで断面がコ字形状を成している。内周側壁３ｂには、後側端から前方に向けて切除部１２が形成されている。切除部１２は周方向に等間隔をあけて配置してあり、本実施の形態では、平面視四角形状の外周側壁３ａにおいて、隣り合う角部１４間（辺の部分）に対応する位置に設けてある。
【００２２】
ヨーク３の各角部１４において、外周側壁３ａの内周面にはマグネット１３が固定されている。マグネット１３は、角部１４に設けてあり、内周側壁３ｂに形成された切除部１２に対応する位置にはない。
【００２３】
レンズ支持体５は略円筒形状であり、その内周部にレンズ（図示せず）が装着されて、ヨーク３の内周側を光軸方向に移動自在に設けられている。レンズ支持体５の外周には環状のコイル１９が固定されている。
【００２４】
図５に示すように、コイル１９はヨーク３の外周側壁３ａと内周側壁３ｂとの間に配置するが、マグネット１３がある角部１４ではマグネット１３と内周側壁３ｂとの間に位置し、レンズ支持体５と共にヨーク３内を前後方向に移動するようになっている。
【００２５】
図４に示すように、前側スプリング９は環状の板ばねであり、内周側部９ａと外周側部９ｂとが設けてあり、内周側部９ａはレンズ支持体５に取付けてあり、外周側部９ｂはヨーク３とフレーム７との間に挟持して固定されている。内周側部９ａと外周側部９ｂとは弾性変形可能な腕部９ｃにより連結してある。
【００２６】
後側スプリング１１は全体として環状の板ばねであるが、本実施の形態では、左右に分離した一方側部２０と他方側部２２とから構成されている。後側スプリング１１の各外周側部１１ｂは、絶縁体である後側スペーサ１５と共にベース５とヨーク３との間に挟持されており、後側スペーサ１５は後側スプリング１１とヨーク３との間の電気的絶縁を図っている。各内周側部１１ａは、レンズ支持体５の後端に取付けてある。後側スプリング１１の各内周側部１１ａと外周側部１１ｂとは弾性変形可能な腕部１１ｃにより連結してある。
【００２７】
ベース８は、外周が光軸方向前側から見た平面が四角形状であり、内周が円形状を成した絶縁性の樹脂材製である。ベース８の外周において、各角部には、脚部８ａが立設されており、フレーム７の脚部７ａと嵌合固定してある。ベース８の四角形状の外周面において、その一側面には、２つの金属面部３３、３５が隣りあわせに形成されている。
本実施の形態では、２つの金属面部３３、３５は、外周面に設けた凹状の２つの底面に各々銅鍍金することにより形成している。外周面に隣接する前側端面が後側スプリング１１を載置するためのスプリング載置面８ｂである。
【００２８】
尚、図示していないが、後側スプリング１１の一方側部２０はコイル１９の一端に接続されており、後側スプリング１１の他方側部２２はコイル１９の他端に接続されている。
【００２９】
図１に示すように、一方の金属面部３３は、各々その前側端部を含むスプリング載置面８ｂに導電性接着材２３が盛られており、導電性接着材２３の上に後側スプリング１１の一方側部２０の外周側部１１ｂを載置して、一方の金属面部３３と一方側部２０の外周側部１１ｂが接続されている。同様に、他方の金属面部３５の前側端部には導電性接着材２３により他方側部２２の外周側部１１ｂが接続されている。
したがって、本実施の形態では、一方の金属面部３３と他方の金属面部３５とは、コイル１９に電流を流す給電端子としての機能を有している。
【００３０】
次に、第１実施の形態に係るレンズ駆動装置１の組み立て、作用及び効果について説明する。
レンズ駆動装置１の組立ては、まず、樹脂成型したベース８の外周面の一部に銅鍍金して、図２に示すように銅鍍金の金属面部３３、３５を形成する。次に、図３に示すように、金属面部３３、３５の前側端に導電性接着材２３を盛り付ける。
図１に示すように、ベース８と後側スプリング１１との組み付けにおいて、ベース８の外周面に盛り付けた導電性接着材２３の上（前側）に後側スプリング１１の外周側部１１ｂを押し付けて接着固定する。
【００３１】
詳細には、一方の金属面部３３に後側スプリング１１を構成する一方側部２０の外周側部１１ｂを接着し、他方の金属面部３５に後側スプリング１１を構成する他方側部２２の外周側部１１ｂを接着して組み付ける。
次に、後側スプリング１１の外周側部１１ｂを固定したベース８に、図４に示すように、後側スペーサ１５、コイル１９を外周面に固定したレンズ支持体５、マグネット１３を内周側面に固定したヨーク３、前側スプリング９及びフレーム７をこの順序で組み付けて固定する。
【００３２】
そして、コイル１９の一端を後側スプリング１１を構成する一方側部２０の内周側部１１ａに接着材又ははんだで接続し、コイル１９の他端を後側スプリング１１を構成する他方側部２２の内周側部１１ｂに接着材又ははんだで接続する。
本実施の形態にかかるレンズ駆動装置１は、携帯電話に搭載され、一方の金属面部３３及び他方の金属面部３５を給電端子として、その後側端部を回路基板（図示せず）の電源端子（図示せず）に、例えばはんだ付けにより接続される。
【００３３】
レンズ駆動装置１の駆動時には、基板の電源端子に接続された一方の金属面部３３から後側スプリング１１の一方側部２０、コイル１９、後側スプリング１１の他方側部２２、回路基板の電源端子に接続された他方の金属面部３５を通って直流電流が流れる。その際、ベース８が絶縁体製であり、金属面部３３と金属面部３５とは分離して配置してあるため、金属面部３３と金属面部３５との間でベース８を介して電流は漏れて流れない。
このようにしてコイル１９に通電すると、コイル１９に作用する電磁力で、レンズ支持体５は前側スプリング９及び後側スプリング１１の付勢力に抗して移動し、前側スプリング９、後側スプリング１１との力の釣り合う位置で停止する。
【００３４】
本発明の第１実施の形態によれば、ベース８は外周面に金属面部３３、３５を有しているので、ベース８の金属面部３３、３５と後側スプリング１１とを導電性接着材２３により接着固定するだけで金属面部３３、３５を給電端子として用いることができ、組み立てが容易である。
金属面部３３、３５は、ベース８と一体としてあるから安定であり、後側スプリング１１との接着作業が容易である。
【００３５】
金属面部３３、３５は、それらの各裏面全体がベース８に支持されているので、金属面部３３、３５の厚みを薄い場合でも給電端子の変形を防止することができる。
金属面部３３、３５はベース８と一体であるから、別に給電端子部材を必要としないので、部品点数を少なくできる。
【００３６】
金属面部３３、３５は、ベース８の一部を鍍金して形成しているので、金属面部の形成が容易にできる。
【００３７】
本実施の形態によれば、後側スプリング１１の外周側部１１ｂをベース８の外周縁部の前側端に載置して各金属面部３３、３５に接続しているので、接続作業が容易にできる。
【００３８】
以下に、本発明の他の実施の形態を説明するが、以下に説明する実施の形態において、上述した第１実施の形態と同一の作用効果を奏する部分には、同一の符号を付することによりその部分の詳細な説明を省略し、以下の説明では、上述した第１実施の形態と主に異なる点について説明する。
【００３９】
図７及び図８を参照して、本発明の第２実施の形態を説明する。図７に示すように、この第２実施の形態にかかるレンズ駆動装置１では、ベース８の外周部には、金属面部３３、３５が形成してある部分に対応して、各々凹み状の接着材溜り３７が形成されている。各接着材溜り３７は金属面部３３、３５が形成されている外周側及びスプリング載置面８ｂ側を開口しており、金属面部３３、３５は接着材溜り３７の底面に連続して形成している。
図８に示すように、各接着材溜り３７には導電性接着材２３が盛ってあり、導電性接着材２３は接着材溜り３７の底面に延出して金属面部３３、３５と後側スプリング１１の外周側部１１ｂとを接着固定している。
【００４０】
この第２実施の形態によれば、ベース８に接着材溜り３７を形成しているので、接着材のはみ出しを防止できると共に、金属面部３３、３５と後側スプリング１１との接着強度を高めることができる。
【００４１】
金属面部３３、３５は、接着材溜り３７の底面に連続して設けてあるから、金属面部３３、３５と後側スプリング１１との電気的な接続の信頼性を高めることができる。
【００４２】
本発明は、上述した実施の形態に限らず、本発明の要旨を逸脱しない範囲で種々変形可能である。例えば、上述した実施の形態において、金属面部３３、３５は隣り合わせに設けたが、これに限らず、互いに離れた位置に設けたり、外周が平面視多角形状のベースにおいて異なる辺に設けるものであっても良い。
金属面部３３、３５は、鍍金に限らず、金属薄膜を貼り付けたり、金属膜を形成したテープを貼り付けたりするものであっても良い。また、金属面部３３、３５は印刷で設けても良い。
また、金属面部３３、３５はスプリング載置面８ｂに延伸して設けても良いし、ベース８の底面に延伸して設けても良い。特に第１実施の形態においては、金属面部３３、３５と、導電接着材２３との接触面積を大きくでき、安定した導電性を確保することができる。
ベース８において、金属面部が形成される部分の形状を従来の給電端子と同様な形状にしても良い。この場合、レンズ駆動装置１において、端子部分を従来の給電端子と同様に取り扱うことができる。
【符号の説明】
【００４３】
１      レンズ駆動装置
３      ヨーク
５      レンズ支持体
８      ベース
１１    後側スプリング
１３    マグネット
１９    コイル
２３    導電接着材
３３、３５    金属面部
３７    接着材溜り
【図１】
2012068275.tif 000003
【図２】
2012068275.tif 000004
【図３】
2012068275.tif 000005
【図４】
2012068275.tif 000006
【図５】
2012068275.tif 000007
【図６】
2012068275.tif 000008
【図７】
2012068275.tif 000009
【図８】
2012068275.tif 000010